(57)【要約】【課題】  描画手段の描画位置と基板との相対位置に基づいて、高精度なパターン描画を実現する技術を提供することを目的とする。【解決手段】  ベースプレート２４の主走査方向の位置情報を検出するための移動位置検出手段７０と、主走査方向に移動するベースプレート２４が所定の位置を通過したことを検出するための通過検出手段４０が配設されている。通過検出手段４０で検出される通過位置情報と、通過検出手段４０でベースプレート２４が特定の位置を通過したことが検出された時に移動位置検出手段７０で検出される測定位置情報とから、移動位置検出手段７０の検出に係る位置情報の遅れを補正するための補正量を算出し、補正量と測定位置情報とからベースプレート２４の修正位置情報を算出し、修正位置情報に基づいて描画手段３０の描画タイミングの動作を制御し、高精度にパターンを描画することができる。【選択図】図１
2011209375.tif 000002
【特許請求の範囲】
【請求項１】
基板を水平に保持するステージと、
前記ステージに保持された基板に描画する描画手段と、
前記描画手段による描画位置に対して前記ステージと前記描画手段を相対的に移動させる移動機構と、
前記移動機構により移動する前記ステージまたは前記描画手段の測定位置情報を検出する移動位置検出手段と、
前記移動機構により移動する前記ステージまたは前記描画手段の通過を検出する通過検出手段と、
前記通過検出手段で検出される通過検出情報に基づき、通過位置情報を取得し、前記通過検出手段で検出された時に前記移動位置検出手段で検出される測定位置情報と前記通過位置情報とから、前記測定位置情報を補正するための補正量を算出する補正量演算部と、
前記補正量と前記測定位置情報とから修正位置情報を算出し、前記修正位置情報に基づいて動作を制御する制御手段と、
を備えることを特徴とするパターン描画装置。
【請求項２】
請求項１に記載のパターン描画装置であって、
前記制御手段は、前記修正位置情報に基づいて前記描画位置と前記ステージに保持された前記基板との相対的な位置を算出し、前記相対的な位置に基づいて前記描画手段の描画タイミングの動作を制御することを特徴とするパターン描画装置。
【請求項３】
請求項１または請求項２に記載のパターン描画装置であって、
前記測定位置情報は、前記移動位置検出手段によって測定された時の前記移動位置検出手段と前記ステージまたは前記描画手段との距離であることを特徴とするパターン描画装置。
【請求項４】
請求項１ないし請求項３に記載のパターン描画装置であって、
あらかじめ、前記通過検出手段によって検出される位置において前記ステージまたは前記描画手段を静止させた状態で前記移動位置検出手段により検出した前記ステージまたは前記描画手段と前記移動位置検出手段との距離を基準位置情報として記憶する記憶手段を有し、
前記補正量演算部は、前記移動機構により移動する前記ステージまたは前記描画手段の通過を検出した時、前記記憶手段から前記基準位置情報を前記通過検出時の通過位置情報として取得することを特徴とするパターン描画装置。
【請求項５】
請求項１ないし請求項４に記載のパターン描画装置であって、
前記通過検出手段は、前記描画位置で描画が行なわれる前であって、かつ、前記描画位置に対して前記ステージまたは前記描画手段を定速で相対的に移動させる区間内に配設されることを特徴とするパターン描画装置。
【請求項６】
水平に基板を保持しつつ、描画手段による描画位置に対して相対的に移動するステージまたは前記描画手段の測定位置情報を検出する移動位置検出工程と、
前記描画位置に対して相対的に移動する前記ステージまたは前記描画手段の通過を検出する通過検出工程と、
前記通過検出工程で検出される通過検出情報に基づき、前記通過検出工程で検出される検出時の通過位置情報を取得し、前記通過検出工程で検出された時に前記移動位置検出工程で検出される測定位置情報と前記通過位置情報とから、前記測定位置情報を補正するための補正量を算出する補正量算出工程と、
前記補正量と前記測定位置情報とから修正位置情報を算出するとともに、前記修正位置情報に基づいて前記描画手段の描画タイミングの動作を制御し前記基板に描画する描画工程と、
を備えることを特徴とするパターン描画方法。
【発明の詳細な説明】
【技術分野】
【０００１】
本発明は、半導体ウエハ、フォトマスク用ガラス基板、液晶表示用ガラス基板、プラズマ表示用ガラス基板、ＦＥＤ（Ｆｉｅｌｄ  Ｅｍｉｓｓｉｏｎ  Ｄｉｓｐｌａｙ）用基板、光ディスク用基板、磁気ディスク用基板、光磁気ディスク用基板等の基板にパターンを描画する技術に関するもので、特に描画精度を向上させる技術に関する。
【背景技術】
【０００２】
従来、基板の製造工程においては、基板の表面に形成された感光材料に制御された光を照射することにより、基板の表面に所定のパターンを描画するパターン描画装置が使用されている。従来のパターン描画装置は、基板を水平姿勢で保持しつつ移動するステージと、基板に光ビームを照射する照射手段とを備えることにより、マスクを使用することなく基板の上面に直接に所定のパターンを描画する構成となっている。
【０００３】
下記特許文献１には、移動するステージの位置を検出するためのレーザ測長器を備えたパターン描画装置が開示されている。このパターン描画装置では、レーザ測長器を用いて基板が保持されたステージの位置を検出することで、基板の位置検出を行うことができる。そして、レーザ測長器から得られる位置情報に基づいて光の照射タイミングを制御することで、基板に所定のパターンを描画することができる。
【０００４】
レーザ測長器を用いた位置検出は、測定時に基板の位置を特定するものであるが、レーザ測長器による検出の場合、レーザ測長器から出射されたレーザ光を対象物で反射させ、反射光と出射光との干渉によって測長を行うものがある。具体的には、光源から出射されたレーザ光を２つ以上の光に分割し、別々の光路を通ったあと再び重ね合わせることで、光路差により発生する干渉縞を捉え、これを解析することで対象物との距離等を求めるものである。
【先行技術文献】
【特許文献】
【０００５】
【特許文献１】特開２００９−２３７４１７
【発明の概要】
【発明が解決しようとする課題】
【０００６】
ところで、上記レーザ測長器を用いてステージの位置を検出する場合、干渉縞を捉えた後、これを解析しステージとの距離を算出するのに一定の算出時間を要する。そのため、移動するステージを検出する場合、測定時のステージ位置と検出時（すなわち、算出結果が出力された時）の実際のステージ位置とにズレが生じることが知られている。この算出時間にともなう実際のステージ位置とのズレを補正する手段として、あらかじめ、算出時間によって移動するステージの距離を求め、該ズレを補正するための補正値を準備する。そして、描画時には、検出時のステージ位置に該補正値を加えることで、実際のステージ位置を取得する補正技術が考えられる。
【０００７】
しかしながら、このような補正技術では、ステージの移動速度を変更する場合、あらかじめ、ステージの移動速度に応じた補正値を準備しておく必要があり煩雑さがあった。さらに、変更された移動速度に対して補正値が準備されていない場合は、補正値を求める作業が発生し、装置の立ち上げに時間を要するという問題があった。
【０００８】
この発明は、上記課題に鑑みてなされたものであり、描画位置と基板位置との間の位置情報が変化する場合でも位置情報を正確に検出することで、高精度に所定のパターンを描画するためのパターン描画装置を提供することを目的とする。
【課題を解決するための手段】
【０００９】
本発明は、上記目的を達成するため、基板を水平に保持するステージと、ステージに保持された基板に描画する描画手段と、描画手段による描画位置に対してステージと描画手段を相対的に移動させる移動機構と、移動機構により移動するステージまたは描画手段の測定位置情報を検出する移動位置検出手段と、移動機構により移動するステージまたは描画手段の通過を検出する通過検出手段と、通過検出手段で検出される通過検出情報に基づき、通過位置情報を取得し、通過検出手段で検出された時に移動位置検出手段で検出される測定位置情報と通過位置情報とから、測定位置情報を補正するための補正量を算出する補正量演算部と、補正量と測定位置情報とから修正位置情報を算出し、修正位置情報に基づいて動作を制御する制御手段とを備えることを特徴とする。
【００１０】
このように構成された発明では、移動位置検出手段で検出される測定位置情報と、通過検出手段で検出される通過検出情報に基づき取得される通過位置情報とから、移動位置検出手段における位置情報の検出に係る遅れを補正するための補正量を自動的に算出することができる。そして、該補正量を用いて、移動位置検出手段で検出される測定位置情報を補正することで、修正位置情報を算出することができ、該修正位置情報に基づいてパターン描画装置の動作を高精度に制御することができる。また、操作者による補正量算出の作業が不要となり、該作業を行う煩雑さをなくし、速やかな装置立ち上げを行うことができる。
【００１１】
また、装置の調整等によりステージの移動速度が変更されたとしても、補正量演算部により、変更された移動速度に応じた補正量を自動で算出することができる。また、設定されたステージの移動速度と実際に動作するステージの移動速度にズレがあった場合でも、本発明では実際に移動するステージから補正量を自動で算出するため、高精度な補正量を得ることでき、同様に修正位置情報を得ることができるため、パターン描画装置の動作を制御することができる。
【００１２】
また、本願発明に係るパターン描画装置において制御手段は、修正位置情報に基づいて描画位置とステージに保持された基板との相対的な位置を算出し、相対的な位置に基づいて描画手段の描画タイミングの動作を制御することを特徴とする。これにより、描画手段の描画位置と基板との相対的な位置に基づいて、描画手段の描画タイミングの動作を制御することができるため、基板に所定のパターンを高精度に描画することができる。
【００１３】
また、本願発明に係るパターン描画装置において測定位置情報は、移動位置検出手段によって測定された時の移動位置検出手段とステージとの距離であることを特徴とする。これにより、ステージの位置情報を正確に検出することができる。
【００１４】
また、本願発明に係るパターン描画装置において、あらかじめ、通過検出手段によって検出される位置においてステージを静止させた状態で移動位置検出手段により検出したステージと移動位置検出手段との距離を基準位置情報として記憶する記憶手段を有し、補正量演算部は、移動機構により移動するステージの通過を検出した時、記憶手段から基準位置情報を通過検出時の通過位置情報として取得することを特徴とする。これにより、移動位置検出手段における位置情報の検出に係る遅れの影響を受けない通過検出時の通過位置情報を取得することができる。
【００１５】
また、本願発明に係るパターン描画装置において、通過検出手段は、描画位置で描画が行なわれる前であって、かつ、描画位置に対してステージを定速で相対的に移動させる区間内に配設されることを特徴とする。これにより、描画が開始される前に確実にステージの通過を検出することができるとともに、描画時のステージの移動速度に対する移動位置検出手段の位置情報の検出に係る遅れを補正するための補正量を算出することができ、補正量から算出される修正位置情報に基づいて描画手段の描画タイミングの動作を制御することができる。
【００１６】
また、本願発明に係るパターン描画方法において、水平に基板を保持しつつ、描画手段による描画位置に対して相対的に移動するステージの測定時の位置情報を検出する移動位置検出工程と、描画位置に対して相対的に移動する前記ステージの通過を検出する通過検出工程と、通過検出工程で検出される通過検出情報に基づき、通過検出工程で検出される検出時の通過位置情報を取得し、通過検出工程で検出された時に移動位置検出工程で検出される測定位置情報と通過位置情報とから、測定位置情報を補正するための補正量を算出する補正量算出工程と、補正量と移動位置算出工程で検出される測定位置情報とから、修正位置情報を算出するとともに、修正位置情報に基づいて描画手段の描画タイミングの動作を制御し基板に描画する描画工程とを備えることを特徴とする。
【００１７】
このように構成された発明では、移動位置検出工程で検出される測定位置情報と、通過検出工程で検出される通過検出情報に基づき取得される検出時の通過位置情報とから、移動位置検出工程における位置情報の検出に係る遅れを補正するための補正量を自動的に算出することができる。そして、該補正量を用いて、移動位置検出工程で検出される測定位置情報を補正することで、修正位置情報を算出することができ、該修正位置情報に基づいて描画手段の描画タイミングの動作を制御し高精度に基板に所定のパターンを描画することができる。また、オペレータによる補正量算出の作業が不要となり、該作業を行う煩雑さをなくし、速やかな装置立ち上げを行うことができる。
【００１８】
また、装置の調整等によりステージの移動速度が変更されたとしても、変更された移動速度に応じた補正量を自動で算出することができる。また、オペレータが設定したステージの移動速度と実際に動作するステージの移動速度にズレがあった場合でも、本発明では実際に移動するステージから補正量を自動で算出するため、高精度な補正量を得ることでき、同様に修正位置情報を得ることができるため、基板に所定のパターンを高精度に描画することができる。
【発明の効果】
【００１９】
本発明によれば、移動位置検出手段で検出される測定位置情報と、通過検出手段で検出される通過検出情報に基づき取得される検出時の通過位置情報とから、移動位置検出手段における位置情報の検出に係る遅れを補正するための補正量を自動的に算出することができる。そして、該補正量を用いて、移動位置検出手段で検出される測定位置情報を補正することで、修正位置情報を算出することができ、該修正位置情報に基づいてパターン描画装置の動作を高精度に制御することができる。
【００２０】
また、オペレータによる補正量算出の作業が不要となり、該作業を行う煩雑さをなくし、速やかな装置立ち上げを行うことができる。また、算出された修正位置情報に基づいて描画位置とステージに保持された基板との相対的な位置を算出し、相対的な位置に基づいて描画手段の描画タイミングを制御することができるため、高精度に所定のパターンを描画することができるという優れた効果を奏し得る。
【図面の簡単な説明】
【００２１】
【図１】本発明に係るパターン描画装置の一実施例形態を示す正面図である。
【図２】本発明に係るパターン描画装置の一実施例形態を示す平面図である。
【図３】本発明に係るパターン描画装置でのパターンの描画を示す図である。
【図４】本発明に係る空間光変調器を示す拡大図である。
【図５】本発明に係る光変調素子の動作を示す拡大図である。
【図６】本発明に係るパターン描画装置の各部と制御手段との間の接続構成を示す
【図７】本発明に係るパターン描画装置が備える制御手段の構成を示すブロック図である。
【図８】本発明に係る移動位置検出手段と通過検出手段の動作を説明するための説明図ある。ブロック図
【図９】本発明に係るパターン描画装置が備える制御手段の動作の手順を示すフローチャートである。
【発明を実施するための形態】
【００２２】
図１は本発明に係るパターン描画装置１の構成を示した正面図である。図２は、本発明に係るパターン描画装置１の構成を示した平面図である。
【００２３】
なお、図１および図２において、図示および説明の都合上、Ｚ軸方向が鉛直方向を表し、ＸＹ平面が水平面を表すものとして定義するが、それらは位置関係を把握するために便宜上定義するものであって、以下に説明する各方向を限定するものではない。
【００２４】
パターン描画装置１は、液晶表示装置の基板を製造する工程において、ガラス基板（以下、単に基板９０と称す）の上面に所定のパターンを描画するための装置として構成される。図１および図２に示すように、パターン描画装置１は主に、基板９０を保持するステージ１０と、ステージを移動する移動機構２０と、基板９０に向けて光を照射する描画手段３０と、移動機構２０や描画手段３０等の動作を制御する制御手段５０と、ベースプレート２４の位置を測定する移動位置検出手段７０および通過検出手段４０とから構成される。
【００２５】
ステージ１０は、平板状の外形を有しており、またステージ１０の上面には、図示しない格子状の吸着溝が設けられており、これらの吸着溝の内底部には図示しない複数の吸引孔が分散して形成されている。これらの吸引孔は、真空ポンプ等に接続されており、当該真空ポンプを動作することによって、吸着溝内の雰囲気を排気することができる。これにより、ステージ１０の上面に基板９０を載置する際には、吸引孔の吸引圧により基板９０を水平に保ちつつ、ステージ１０の上面に固定的に保持することができる。
【００２６】
移動機構２０は、ステージ１０を主走査方向（Ｙ軸方向）、副走査方向（Ｘ軸方向）および回転方向（Ｚ軸周りの回転方向）に移動させるための機構である。移動機構２０は、ステージ１０を回転させる回転機構２１、ステージ１０を回転可能に支持する支持プレート２２、支持プレート２２を副走査方向に移動させる副走査機構２３、副走査機構２３を介して支持プレート２２を支持するベースプレート２４およびベースプレート２４を主走査方向に移動させる主走査機構２５から構成される。また、ベースプレート２４の（＋Ｘ）方向の側面には、後述する移動位置検出手段７０から出射されるレーザ光を反射するためのミラー２６が固設されている。
【００２７】
回転機構２１は、リニアモータ２１１と、ステージ１０の中央部下面側と支持プレート２２との間に回転軸２１２とを備える。リニアモータ２１１はステージ１０の（−Ｙ軸）方向側（図２中、紙面下側）の端部に取り付けられた図示を省略する移動子と、支持プレート２２の上面に敷設された図示を省略する固定子とよりなる。このため、リニアモータ２１１を動作させると、固定子に沿って移動子がＸ軸方向に移動し、支持プレート２２上の回転軸２１２を中心としてステージ１０が所定の角度の範囲内で回転する。
【００２８】
副走査機構２３は、リニアモータ２３１と、支持プレート２２とベースプレート２４との間に、副走査方向に伸びる一対のガイド部２３２とを備える。リニアモータ２３１は支持プレート２２の下面に取り付けられた図示を省略する移動子と、ベースプレート２４の上面に敷設された図示を省略する固定子とよりなる。このため、リニアモータ２３１を動作させると、ベースプレート２４上のガイド部２３２に沿って支持プレート２２が副走査方向に移動する。
【００２９】
主走査機構２５は、リニアモータ２５１と、ベースプレート２４と基台６０との間に、ベースプレート２４の一部を案内する主走査方向に伸びる一対のガイド部２５２とを備える。リニアモータ２５１は、ベースプレート２４の下面に取り付けられた図示を省略する移動子と、パターン描画装置１の基台６０上に敷設された図示を省略する固定子とよりなる。このため、リニアモータ２５１を動作させると、基台６０上のガイド部２５２に沿ってベースプレート２４が主走査方向に移動する。
【００３０】
主走査機構２５は後述する制御手段５０により制御されており、描画手段３０から照射される光により基板９０の上面に所定のパターンが描画されている間、一定の速度（以降、描画速度とも称す）でベースプレート２４を移動させる。また、ベースプレート２４が静止状態から描画速度に達するまでは加速しながら移動するように制御手段５０に制御される。
【００３１】
描画手段３０は、ステージ１０上に保持された基板９０の上面にパルス光を照射するための機構である。描画手段３０は、ステージ１０および移動機構２０を跨ぐようにして基台６０上に架設された門型のフレーム３１と、フレーム３１上にＸ軸方向に沿って等間隔に取り付けられた複数の光学ヘッド３２とを備えている。なお、本実施例では一例として４個の光学ヘッド３２を備えている。
【００３２】
４個の光学ヘッド３２は、照明光学系３３を介して一つのレーザ発振器３４に接続されており、レーザ発振器３４には、レーザ発振器３４のオンオフ駆動を行うレーザ駆動部３５が接続されている。したがって、レーザ駆動部３５を動作させると、レーザ発振器３４からパルス光が出射され、出射されたパルス光は照明光学系３３を介して、各光学ヘッド３２の内部に導入される。
【００３３】
各光学ヘッド３２は、レーザ発振器３４からの光を下方に向けて出射する出射部３６、出射部３６からの光を反射して空間光変調器３７へと導く光学系３６１、空間光変調器３７を介して照射された出射部３６からの変調された光を基板９０の上面に導く投影光学系３８を備える。
【００３４】
４個の光学ヘッド３２は副走査方向に沿って等間隔（例えば２００ｍｍ間隔）で配列されている。ステージ１０を主走査方向に移動させつつ、各光学ヘッド３２からパルス光を断続的に照射することで、図３に示したように、所定の露光幅Ｄ（例えば、５０ｍｍ幅）を有する複数本のパターンが基板９０の上面に描画される。パターン描画装置１は、１回の主走査方向への描画が完了すると、光学ヘッド３２の露光幅分ずつ基板９０を副走査方向にずらしながら、主走査方向へのパターンの描画を所定回数（例えば４回）繰り返すことにより、基板９０の描画領域全面に所定のパターンを形成する。
【００３５】
図４は、空間光変調器３７を拡大して示す図である。図４に示すように、空間光変調器３７は、出射部３６を介して出射されたレーザ発振器３４からの光を基板９０の上面へと導く回折格子型の複数の光変調素子３７１を備える。光変調素子３７１は半導体装置製造技術を利用して製造され、格子の深さを変更することができる回折格子となっている。光変調素子３７１には複数の可撓リボン３７１ａおよび固定リボン３７１ｂが交互に並行に配列形成され、複数の可撓リボン３７１ａは背後の基準面に対して個別に昇降移動可能とされ、複数の固定リボン３７１ｂは基準面に対して固定される。回折格子型の光変調素子としては、例えば、ＧＬＶ（Ｇｒａｔｉｎｇ  Ｌｉｇｈｔ  Ｖａｌｖｅ：グレーチング・ライト・バルブ）（シリコン・ライト・マシーンズ社の登録商標）が知られている。
【００３６】
図５（ａ）および図５（ｂ）は、可撓リボン３７１ａおよび固定リボン３７１ｂに対して垂直な面における光変調素子３７１の断面を示す拡大図である。図５（ａ）に示すように可撓リボン３７１ａおよび固定リボン３７１ｂが基準面３７１ｃに対して同じ高さに位置する（すなわち、可撓リボン３７１ａが撓まない）場合には、光変調素子３７１の表面は面一となり、入射光Ｌ１の反射光が０次光Ｌ２として導出される。一方、図５（ｂ）に示すように可撓リボン３７１ａが固定リボン３７１ｂよりも基準面３７１ｃ側に撓む場合には、可撓リボン３７１ａが回折格子の溝の底面となり、非０次回折光Ｌ３が光変調素子３７１から導出され、０次光Ｌ２は消滅する。このように光変調素子３７１は回折格子を利用した光変調を行う。
【００３７】
図１に示す描画手段３０では、レーザ発振器３４からの光が照明光学系３３を介して出射部３６に導入され、出射部３６を介して空間光変調器３７のライン上に配列された複数の可撓リボン３７１ａおよび固定リボン３７１ｂ上に照射される。光変調素子３７１は、隣接する各１本の可撓リボン３７１ａおよび固定リボン３７１ｂを１つのリボン対とすると、３つ以上のリボン対が描画されるパターンの１つの画素に対応する。光変調素子３７１では、各空間光変調器３７に接続される図示を省略する空間光変調器制御部からの信号に基づいてパターンの各画素に対応するリボン対の可撓リボン３７１ａがそれぞれ制御され、各画素に対応するリボン対が０次光（正反射光）として導出する状態と、非０次回折光（主として１次回折光（（＋１）次回折光および（−１）次回折光））として導出する状態との間にて遷移可能とされる。光変調素子３７１から出射される０次光は投影光学系３８へと導かれ、非０次回折光は投影光学系３８とは異なる方向へと導かれる。なお、迷光となることを防止するために非０次回折光は図示を省略する遮光部により遮光される。
【００３８】
光変調素子３７１からの０次光は、投影光学系３８を介して基板９０の上面へと導かれる。これにより、基板９０の上面においてＸ軸方向（すなわち、副走査方向）に沿っておよそ直線状に並ぶ複数の描画領域のそれぞれに変調された光が照射される。すなわち、光変調素子３７１の各画素に対応するリボン対は０次光を導出する状態がＯＮ状態であり、非０次回折光を導出する状態がＯＦＦ状態とされる。
【００３９】
また、投影光学系３８には、対物レンズ３８２を光軸に沿って移動するアクチュエータを有するフォーカス機構３８１が設けられており、フォーカス機構３８１により対物レンズ３８２の上下方向の移動によって、光変調素子３７１によって変調された光の焦点位置が調整される。焦点位置が調整された光は、基板９０の主面に照射される。なお、光変調素子からの非０次回折光が基板９０の上面へと導かれ、０次光が遮光部により遮光されてもよい。光変調素子から基板９０の上面に導かれたパルス光により、配線パターン等の所定のパターンが描画される。
【００４０】
移動位置検出手段７０は、主走査機構２５により主走査方向に移動するベースプレート２４の位置を検出するための機構である。本実施例では、移動位置検出手段７０は、光源７０１（半導体レーザなど）、リニア干渉系７０３およびレシーバ７０５、図示を省略するマイクロコンピュータ等の情報処理回路を備え、対象物の位置を検出する機能を有し、ベースプレート２４のＹ軸方向側に対向して基台６０の上側の一側端に配設されている。なお、移動位置検出手段７０としては、レーザ光を用いた干渉型測長器や、マイクロ波を用いた位置検出センサなど要求精度、計測環境に応じて好適に用いられる。
【００４１】
移動位置検出手段７０では、光源７０１から出射されたレーザ光が、リニア干渉系７０３を介して、ベースプレート２４の移動位置検出手段７０に対向する側に固設されたミラー２６に入射する。そして、その反射光がリニア干渉系７０３にて元のレーザ光と干渉し、干渉光をレシーバ７０５で連続的に受光する。連続的に受光した干渉光の任意の一点を情報処理回路で解析することで、ベースプレート２４と移動位置検出手段７０との距離を算出し、ベースプレート２４の主走査方向についての測定位置を検出する。そして、後述する制御手段５０の補正量演算部５５および照射制御部５７に、測定時の測定位置情報として出力する。なお、移動位置検出手段７０が測定時の任意の一点の測定位置情報を出力する間隔を、任意に設定することができるように構成してもよい。
【００４２】
ステージ１０の主走査方向の位置は、主にベースプレート２４の主走査方向の移動に依存するため、移動位置検出手段７０によって検出されたベースプレート２４の位置情報は、ステージ１０と基板９０との位置関係が不要のため、ステージ１０に保持された基板９０の主走査方向に関する位置情報に相当する。したがって、ステージ１０に保持された基板９０の位置情報を得ることができる。なお、測定位置情報とは移動位置検出手段７０によって検出される、移動位置検出手段７０とベースプレート２４との距離を表すものである。
【００４３】
通過検出手段４０は、主走査機構２５により主走査方向に移動するベースプレート２４が特定の位置を通過したことを検出するとともに、制御手段５０へ通過を検出したことを通過検出情報として出力するための機構である。本実施例では、レーザ光源４１（例えば、半導体レーザや発光ダイオードなど）とレーザ光源４１から出射されたレーザ光を受光するための受光部４２ａ、４２ｂとを備え、受光部４２ａ、４２ｂは、ベースプレート２４のＸ軸方向側に２つの受光部４２ａ、４２ｂが配設されている。また、基台６０の中央部に配設された受光部４２ａはパターン描画装置１が往復描画を行う場合のステージ１０の往路時に動作するものであり、基台６０の一方端側に配設された受光部４２ｂはステージ１０の復路時に動作するものである。なお、一方向での描画のみの場合は、受光部４２ａ、あるいは受光部４２ｂのみ備えていればよい。なお、通過検出手段４０としては、フォトセンサなどの光電センサを要求精度、計測環境に応じて好適に用いられる。
【００４４】
レーザ光源４１は、ベースプレート２４上の一側端（ベースプレート２４上の＋Ｘ方向あるいは−Ｘ方向であって、主走査方向に移動する際に移動の妨げにならない位置）に固定的に配設されており、ベースプレート２４の移動方向に直交する側部方向にレーザ光を出射する。出射されたレーザ光は受光部４２ａ、４２ｂで受光される。なお、受光部４２ａ、４２ｂがベースプレート２４上に配設され、レーザ光源４１が基台６０上に配設されていてもよい。
【００４５】
受光部４２ａ、４２ｂとレーザ光源４１は、主走査機構２５によりベースプレート２４が主走査方向に移動し、ステージ１０上に載置された基板９０が所定の位置に移動したことを検出できるように配設されている。
【００４６】
具体的には、次に往路動作について説明する。主走査機構２５によりベースプレート２４が主走査方向に加速しながら移動し、描画速度に達してから描画が開始されるまで定速移動する間にレーザ光源４１から出射されたレーザ光を受光部４２ａで受光できるように配設する。例えば、レーザ光源４１をベースプレート２４上の一側端に配設し、ベースプレート２４を加速させながら移動させ描画速度に達した時のレーザ光源４１の出射方向と対向する位置に受光部４２ａを配設することで、基板９０が所定の位置に移動したことを検出できるようにレーザ光源４１と受光部４２ａを配設する。
【００４７】
また、定速移動区間であればステージ１０上に載置された基板９０に所定のパターンが描画されるより少し前の位置にレーザ光源４１を配設し、レーザ光源４１と対向する位置に受光部４２ａを配設するようにしてもよい。すなわち、後述するように通過検出手段４０で検出されてから移動位置検出手段７０によりベースプレート２４の測定位置情報を算出するためには、受光した干渉光を情報処理回路で解析するための時間を要するため、描画が行なわれる位置よりも前の位置であって、情報処理回路で解析された結果が出力された時に描画位置を過ぎない位置に配設することが好ましい。このように受光部４２ａを配設することで、実質的にベースプレート２４の移動速度は描画速度に達しており、基板９０の定速移動中の特定の位置を正確に検出することができる。
【００４８】
そして、通過検出手段４０は、レーザ光源４１から出射されたレーザ光を受光部４２ａが受光することで基板９０の定速移動中の特定の位置を通過したことを検出し、制御手段５０へベースプレート２４が特定の位置を通過したことを示す通過検出情報を出力する。
【００４９】
また、主走査機構２５によって往復移動を行いながら描画を行う場合は、復路動作時における移動方向においてベースプレート２４の移動速度が定速移動する区間において、レーザ光源４１と対向する位置に受光部４２ｂを配設するようにすればよい。また、復路時においても、情報処理回路での解析に要する時間を考慮しつつ、基板９０に所定のパターンが描画される位置よりも前の位置であって、情報処理回路で解析された結果が出力された時に描画位置を過ぎない位置に受光部４２ｂを配設することが好ましい。
【００５０】
図６は、パターン描画装置１の各部と制御手段５０との間の接続構成を示すブロック図である。制御手段５０は、上述した移動位置検出手段７０、通過検出手段４０、回転機構２１、副走査機構２３、主走査機構２５、レーザ駆動部３５、照明光学系３３、投影光学系３８と電気的に接続しており、これらの動作を制御することができる。制御手段５０は、例えば、ＣＰＵやメモリ等を有するコンピュータにより構成され、コンピュータにインストールされたプログラムに従ってコンピュータが動作することにより上記の制御を行う。また、図１に示すように、制御手段５０には入力部８０が接続されている。操作者は入力部８０を介して、描画するパターン情報の入力や、ステージ１０の移動速度や基板９０上の複数の描画領域の間隔等を設定することができる。
【００５１】
このようなパターン描画装置１において描画処理を行う際には、入力部８０より入力されたパターン情報に従い、ステージ１０を主走査方向および副走査方向に移動させつつ、各光学ヘッド３２からパルス光を照射し、基板９０上に配線パターン等の所定のパターンを描画する。
【００５２】
図７は、本発明に係るパターン描画装置１が備える制御手段５０の構成を示すブロック図である。パターン描画装置１の制御手段５０は、記憶手段５１、移動機構制御部５３、補正量演算部５５、照射制御部５７を有する。
【００５３】
記憶手段５１は基板９０上面に描画するパターン情報であるパターンデータ５１１および後述する基準位置情報であるステージ位置データ５１２を格納している。なお、パターンデータ５１１は、例えばＣＡＤ（Ｃｏｍｐｕｔｅｒ  Ａｉｄｅｄ  Ｄｅｓｉｇｎ）等により生成されたデータをラスタライズ化した画像情報のデータであり、パルス光を照射すべき基板９０の位置情報が画素単位で記録されている。
【００５４】
基準位置情報であるステージ位置データ５１２は、あらかじめ、基板９０の上面に光学ヘッド３２により所定のパターンが描画されるのに適した描画速度に達する位置（定速移動中の特定の位置）にベースプレート２４を移動させ、静止させた状態、すなわち、通過検出手段４０によって検出される位置での移動位置検出手段７０により検出される静止状態のベースプレート２４の位置情報である。すなわち、基準位置情報とは特定の位置におけるベースプレート２４と移動位置検出手段７０との距離を表すものである。従って、往復露光を行う場合は、往路ならびに復路において、ステージ位置データ５１２をあらかじめ取得し、記憶しておく必要がある。
【００５５】
なお、記憶手段５１の具体例としては、データを一時的に記憶するＲＡＭ、読み取り専用のＲＯＭ、および磁気ディスク装置等が該当し、可搬性の光磁気ディスクやメモリーカード等の記憶媒体、およびそれらの読み取り装置等であってもよい。
【００５６】
移動機構制御部５３は移動機構２０の各移動機構の動作を制御する。移動機構制御部５３は各移動機構を一定速度で移動させるよう制御するだけでなく、主走査機構２５を制御し、ベースプレート２４を主走査方向に、所定の位置または所定の速度まで加速させながら移動させることも可能である。
【００５７】
補正量演算部５５は、記憶手段５１に記憶された基準位置情報と、移動位置検出手段７０から出力される測定位置情報とから移動位置検出手段７０における位置情報の検出に係る遅れを補正するための補正量を算出する。
【００５８】
照射制御部５７は、補正量演算部５５で算出された補正量を用いて、移動位置検出手段７０から出力される測定位置情報を修正する。また、照射制御部５７は、描画用のパターン情報であるパターンデータ５１１を所定のサイズに分割し、分割データごとに描画タイミング制御信号を生成し描画手段３０を制御する。
【００５９】
図８を用いて本発明に係る移動位置検出手段７０に係る位置検出の遅れについて具体的に説明する。移動位置検出手段７０は移動するベースプレート２４にレーザ光を連続的に出射する。該レーザ光が位置Ａにおいてベースプレート２４で反射し、該反射光と元のレーザ光との干渉光を移動位置検出手段７０は連続的に受光する。移動位置検出手段７０は連続的に受光した干渉光の任意の一点を情報処理回路で解析することで位置情報を検出する。該位置情報は位置Ａにおけるベースプレート２４の位置情報であり、これが、移動位置検出手段７０による測定位置情報である。
【００６０】
しかし、移動位置検出手段７０による測定位置情報の検出には所定の時間を要し検出結果が出力されるとき（検出時）には、ベースプレート２４は位置Ｂに達している。すなわち、測定時と検出時でベースプレート２４の位置情報に誤差Ｅが生じる。該誤差Ｅが移動位置検出手段７０における位置情報の検出に係る遅れである。本発明は、誤差Ｅを算出することで、移動位置検出手段７０における位置情報の検出に係る遅れを補正するものである。
【００６１】
続いて図７、図８を参照しつつ誤差Ｅの算出について説明する。移動するベースプレート２４が通過検出手段４０によって位置Ｂにおいて通過が検出される。通過検出手段４０はベースプレート２４の通過を検出するとともに、補正量演算部５５に通過検出情報を出力する。また、移動位置検出手段７０は、ベースプレート２４の測定位置情報を検出し補正量演算部５５に出力する。
【００６２】
補正量演算部５５は通過検出手段４０から受信したベースプレート２４の通過検出情報に基づき取得する検出時の位置情報（位置Ｂ）と、補正量演算部５５において、通過検出手段４０でベースプレート２４が検出された時に移動位置検出手段７０から受信したベースプレート２４の測定位置情報（位置Ａ）とから、差分値を算出する。この差分値が前述した位置情報の誤差Ｅとなる。誤差Ｅが移動位置検出手段７０における位置情報の検出に係る遅れを補正するための補正量として用いられる。
【００６３】
ここで、補正量演算部５５において、通過検出手段４０でベースプレート２４が検出された時に移動位置検出手段７０で検出される測定位置情報とは、補正量演算部５５に移動位置検出手段７０から測定位置情報が常時連続的に入力されていれば、通過検出手段４０からの検出情報と同じタイミングで入力される移動位置検出手段７０からの測定位置情報である。
【００６４】
また、補正量演算部５５に移動位置検出手段７０から測定位置情報が任意に設定された所定の間隔（例えば、１００ｎｓｅｃで）で入力されていれば、補正量演算部５５に通過検出手段４０から通過検出情報が入力されたタイミングの直前に移動位置検出手段７０から補正量演算部５５に入力された測定位置情報である。直前に入力された測定位置情報に限られるわけではなく、直後に入力される測定位置情報でも良い。また、直前あるいは直後に入力される測定位置情報であって、通過検出手段４０から通過検出情報が入力されたタイミングとの入力における時間的なズレが小さい方の測定位置情報を用いても良い。
【００６５】
また、移動位置検出手段７０から測定位置情報が所定の間隔で出力される場合は、移動位置検出手段７０の測定位置情報を検出するのに要する時間よりも短く設定されている必要がある。なぜならば、測定位置情報が出力される間隔が長すぎれば、該出力間隔における誤差の影響が大きくなるためである。従って、上述した条件を満たすように設定するとともに、要求される描画精度に基づき、移動位置検出手段７０から出力される時間間隔は適宜設定することが好ましい。
【００６６】
補正量演算部５５では、通過検出手段４０から受信したベースプレート２４の通過検出情報に基づき、記憶手段５１にあらかじめ記憶されている基準位置情報であるステージ位置データ５１２を読み出す。前述したようにステージ位置データ５１２は通過検出手段４０で検出される位置Ｂにベースプレート２４を静止させた状態で配置し、移動位置検出手段７０を用いて該ベースプレート２４の通過位置情報を算出したものである。この際、該ベースプレート２４は静止状態であるため、所定の算出時間を要したとしても通過位置情報に誤差Ｅは生じない。あらかじめ記憶されている基準位置情報を検出時の通過位置情報として用いることで、精度の高い補正量を算出することができる。
【００６７】
引き続き、本発明に係る描画手段３０による描画について説明する。描画手段３０は照射制御部５７により制御されている。照射制御部５７は、補正量演算部５５で算出された補正量と、移動位置検出手段７０が出力するベースプレート２４の測定位置情報とを受信し、測定位置情報を補正量によって補正することで、移動位置検出手段７０における位置情報の検出に係る遅れが補正された修正位置情報を算出することができる。すなわち、修正位置情報とは移動位置検出手段７０によって検出される検出時の実際のベースプレート２４位置と移動位置検出手段７０との距離をあらわすものである。
【００６８】
照射制御部５７は、修正位置情報に基づきベースプレート２４上に設けられたステージ１０が保持する基板９０の位置を特定することができ、描画手段３０による描画位置に対する基板９０との相対位置を算出することができる。そして、該相対位置に基づいてパルス光を出射する描画タイミング制御信号を生成する。また、照射制御部５７は描画用のパターン情報であるパターンデータ５１１を所定のサイズに分割し、分割データ単位で描画タイミング制御信号とともに描画手段３０に送信する。これにより、分割データごとに、修正位置情報に基づき、描画手段３０による描画位置に対する基板９０との相対位置を算出し、描画タイミング制御信号を生成するため、高精度に所定のパターンを描画することができる。
【００６９】
以上が、パターン描画装置１の構成および機能の説明である。次に、パターン描画装置１の動作について説明する。本動作は、往路における所定のパターンの描画について説明するが、往復露光において異なる点は、使用される通過検出手段４０が受光部４２ａ（往路動作用）と受光部４２ｂ（復路動作用）で異なる点以外は同様の動作を行うものである。
【００７０】
図９は、パターン描画装置１の動作の流れを示すフローチャートである。まず、あらかじめ主面に感光材料が塗布された基板９０が、図示しない搬送ロボット等によりステージ１０上に搬入され、ステージ１０の上面に載置される。基板９０は、ステージ１０に形成された図示しない吸引孔によって吸着され、ステージ１０の上面に水平姿勢で保持される（ステップＳ１）。
【００７１】
次に、移動機構制御部５３により主走査機構２５を動作させて、基板９０が載置されたステージ１０を主走査方向に移動させる（ステップＳ２）。具体的には、ステージ１０がベースプレート２４に載置されており、ベースプレート２４を主走査機構２５により主走査方向（＋Ｙ方向）に移動させることで実現される。また、ベースプレート２４が主走査方向に加速しながら移動し、描画速度に達した後、定速移動しながらステージ１０に載置された基板９０が光学ヘッド３２の直下の描画位置に向かって移動する。
【００７２】
移動位置検出手段７０は主走査方向に移動するベースプレート２４にレーザ光を連続的に出射し、ベースプレート２４に固設されたミラー２６によって反射した反射光を受光し、出射光と反射光の干渉によって生じる干渉光を解析することでベースプレート２４と移動位置検出手段７０との距離である測定位置情報を検出する（ステップＳ３）。すなわち、ベースプレート２４との距離を検出することで、ベースプレート２４上に設けられたステージ１０が保持する基板９０との距離を検出することができる。検出された基板９０との距離に相当するベースプレート２４の測定位置情報は、移動位置検出手段７０から制御手段５０の補正量演算部５５と照射制御部５７に連続的に送信される。
【００７３】
次に、定速で主走査方向に移動するベースプレート２４が、通過検出手段４０により検出される。具体的には、定速で移動する区間であって、各光学ヘッド３２から出射されるパルス光によって所定のパターンが描画されるまでの間に、固定的に配設されたレーザ光源４１から出射されたレーザ光を受光部４２ａが受光することによりベースプレート２４の通過検出情報を検出する（ステップＳ４）。そして、通過検出手段４０から制御手段５０の補正量演算部５５に通過検出情報が送られる。
【００７４】
補正量演算部５５は、通過検出手段４０から出力されるベースプレート２４の通過検出情報の受信により、記憶手段５１に記憶されているステージ位置データ５１２を読み出すとともに、ステージ位置データ５１２と、移動位置検出手段７０から連続的に送信されてくる測定位置情報の中で、通過検出情報の受信と同じタイミングで受信した測定位置情報との差分を補正量として算出し（ステップＳ５）、照射制御部５７に送信する。
【００７５】
照射制御部５７は、補正量演算部５５から送られてきた補正量と、移動位置検出手段７０から送られてくるベースプレート２４の測定位置情報とから、移動位置検出手段７０に係る遅れを補正した修正位置情報を算出し、描画手段３０による描画位置に対する基板９０の相対位置を算出する（ステップＳ６）。
【００７６】
また、照射制御部５７はパターンデータ５１１を所定のサイズに分割し、分割データに対応した修正位置情報を算出し、描画手段３０による描画位置に対する基板９０との相対位置を算出し、描画タイミング制御信号を生成し、描画手段３０に描画タイミング制御信号を送信する。この描画タイミング制御信号に基づき各光学ヘッド３２は基板９０に向けてパルス光を出射し、所定のパターンを描画する（ステップＳ７）。所定のパターンが描画された後、描画すべき分割データがあるかどうかを判断し（ステップＳ８）、分割データがある場合は、ステップ６に戻り、再び分割データに対応した修正位置情報を算出し描画タイミング信号を生成する。分割データごとに修正位置情報を算出することで、分割データ単位高精度に描画を行うことができる。ここまでが、ベースプレート２４の往路動作において一回主走査方向に移動させた場合の動作である。
【００７７】
続いて、パターンデータ５１１から、次の露光位置があるかどうかを判断し（ステップ９）、さらに露光を行う場合であって、往路時のみに露光を行う場合は、ベースプレート２４を主走査方向（−Ｙ方向）へ移動させるとともに、副走査機構２３により支持プレート２２を露光幅分だけ副走査方向（＋Ｘ方向）へ移動させる。また、復路動作においても露光する場合は、副走査機構２３により支持プレート２２を露光幅分だけ副走査方向（＋Ｘ方向）へ移動させた後、ベースプレート２４を主走査方向（−Ｙ方向）へ復路動作させる。以上の動作の後、基板の位置を検出するステップ３に戻り、ステップ４〜ステップ８を繰り返す。
【００７８】
すべてのパターンデータ５１１の描画が終了すれば、ステージ１０の移動を停止する（ステップＳ１０）。次に、所定のパターンが描画された基板９０を図示しない搬送ロボット等によりステージ１０から搬出する（ステップＳ１１）。
【００７９】
以上が、パターン描画装置１の動作についての説明である。本実施の形態では、パターン描画装置１が、ベースプレート２４の位置情報を検出するための移動位置検出手段７０および通過検出手段４０を備えることで、移動位置検出手段７０における測定位置情報の算出に係る遅れを補正するための補正量を算出することができ、補正量に基づきベースプレート２４の実際の位置を得ることで描画手段３０から出射されるパルス光の描画タイミングを高精度に制御し、回路パターンなどの所定のパターンを描画することができる。
【００８０】
次に、ステージ１０の移動速度が変更される場合について説明する。ステージ１０の移動速度はパターン描画装置１の調整等を行う場合に変更することがある。ステージ１０の移動速度を変更するには、入力部８０を介して変更したい速度を入力する。従来の補正技術では、ステージ１０の移動速度に応じた補正値を準備しておく必要があった。しかし、本願発明に係るパターン描画装置１では、移動速度を変更する前にあらかじめ取得しておいた基準位置情報を用いて、自動的に補正量を算出し適切に描画を行うことができる。
【００８１】
すなわち、前述したパターン描画装置１の動作の説明において、ステージ１０の移動速度が変更されることによって異なる点は、補正量演算部５５で算出される補正量の値のみである。なぜならば、補正量は移動位置検出手段７０が測定位置情報を算出するのに要する時間の間に、ステージ１０が移動する距離に相当するため、ステージ１０の移動速度に依存した値となるからである。例えば、ステージ１０の移動速度が早くなれば補正量は大きくなり、移動速度が遅くなれば補正量は小さくなる。従って、ステージ１０の移動速度が変更したとしても移動位置検出手段７０、通過検出手段４０、補正量演算部５５等を変更することなく、移動速度の変更に対応した補正量を算出することできる。
【００８２】
具体的には、通過検出手段４０から出力されるベースプレート２４の通過検出情報の受信により、記憶手段５１に移動速度の変更前から記憶されているステージ位置データ５１２を読み出すとともに、通過検出情報の受信と同じタイミングで受信した移動位置検出手段７０から測定位置情報との差分である補正量を算出する。
【００８３】
すなわち、前述したステップＳ３〜ステップＳ６を行うことでステージ１０の移動速度を変更した場合でも、自動的に補正量を算出することができる。算出された補正量から、照射制御部５７は修正位置情報を算出するとともに、修正位置情報から描画手段３０による描画位置に対する基板９０との相対位置を算出し、描画タイミング制御信号を生成し、描画手段３０に描画タイミング制御信号を送信する。この描画タイミング制御信号に基づき各光学ヘッド３２は基板９０に向けてパルス光を出射し、所定のパターンを描画する。
【００８４】
以上、ステージ１０の移動速度が変更された場合でも煩雑な作業を必要とせず、本願発明に係るパターン描画装置１は高精度に所定のパターンを描画することができる。
【００８５】
また、上記実施例では往路動作におけるパターン描画について説明したが、本発明は往復動作で露光する場合においても適用することができる。
【００８６】
＜変形例＞
以上、本発明の実施の形態について説明してきたが、本発明は上記の実施の形態に限られるものではなく様々な変形が可能である。
【００８７】
上記実施の形態では、ベースプレート２４の主走査方向についての位置を検出するため、移動位置検出手段７０を用いているが、もちろんこれに限られるものではなく、例えば、リニアモータ２５１またはガイド部２５２に設けたエンコーダによって、ベースプレート２４の位置を算出してもよい。この場合であっても、エンコーダにより算出されたベースプレート２４の測定位置情報と、通過検出手段４０によって検出されたベースプレート２４の通過検出情報から記憶手段５１に記憶されているステージ位置データ５１２とに基づいて、補正量演算部５５で補正量を算出し、基板９０の描画手段３０に対する正確な相対的な位置関係を示すデータを照射制御部５７に送信することで、上記実施の形態と同様の効果を得ることができる。
【００８８】
また、上記実施の形態では、基板９０に所定のパターンを描画するため光ビームを利用しているが、これに限られるものではなく、例えば電子ビーム、イオンビーム、Ｘ線等が用いられてもよい。
【００８９】
また、上記実施の形態では、ステージ１０を移動させたが描画手段３０を移動するよう構成してもよい。その場合、移動位置検出手段７０および通過検出手段４０によって移動する描画手段３０の位置の検出および通過を検出するようにすれば同様の効果を得ることができる。
【００９０】
さらに、上記実施形態および各変形例で説明した各構成は、相互に矛盾しない限り適宜組み合わせることができる。
【産業上の利用可能性】
【００９１】
本発明は、半導体ウエハ、フォトマスク用ガラス基板、液晶表示用ガラス基板、プラズマ表示用ガラス基板、ＦＥＤ（Ｆｉｅｌｄ  Ｅｍｉｓｓｉｏｎ  Ｄｉｓｐｌａｙ）用基板、光ディスク用基板、磁気ディスク用基板、光磁気ディスク用基板等の基板に回路パターンなどの所定のパターンを描画するパターン描画装置に適用することができる。
【符号の説明】
【００９２】
１    パターン描画装置
１０    ステージ
２０    移動機構
２３    副走査機構
２４    ベースプレート
２５    主走査機構
３０    描画手段
３２    光学ヘッド
４０    通過検出手段
４１    レーザ光源
４２ａ、４２ｂ        受光部
５０    制御手段
５１    記憶手段
５５    補正量演算部
７０    移動位置検出手段
９０    基板
５１１    パターンデータ
５１２    ステージ位置データ
【図１】
2011209375.tif 000003
【図２】
2011209375.tif 000004
【図３】
2011209375.tif 000005
【図４】
2011209375.tif 000006
【図５】
2011209375.tif 000007
【図６】
2011209375.tif 000008
【図７】
2011209375.tif 000009
【図８】
2011209375.tif 000010
【図９】
2011209375.tif 000011